(57)【要約】      （修正有）【課題】液体の入った蓋付きコップを、任意の姿勢にしても液漏れが生じないようにし、液体の入った蓋付きコップを液漏れせずに搬送する。【解決手段】溝６は例えば上下方向の幅が均一で、溝６の幅は蓋付きコップ４の蓋２４の外周２８の幅よりも僅かに狭い。そして蓋付きコップ４の蓋の外周２８を溝６内に押し込むと、溝６がやや拡開されて外壁８や内壁１０が蓋２４の外周２８を左右から（白抜き矢印）押圧し、円周上端部２６と外周２８とを密着させる。この結果、蓋付きコップ４を例えば上下反転させても、液体試料が漏れ出すことを防止できる。【選択図】図３
2009023836.tif 000002
【特許請求の範囲】
【請求項１】
弾性体からなる円形リングを備えた漏れ防止具であって、
前記リングの下面にリング自体と同芯に円形の溝を備え、
該溝は、蓋付きコップの蓋の外周を溝内にセットした際に、リングの弾性により、蓋の外周とコップの円周上端部とを密着させるように構成されている、漏れ防止具。
【請求項２】
気送管により搬送される気送子の内部にセットするためのインナーケースアセンブリーであって、
請求項１の漏れ防止具をセットした蓋付きコップを収容する、開閉自在でかつ密閉可能なスペースを設けたインナーケースと、
該スペースに収容した請求項１の漏れ防止具をセットした蓋付きコップ、とからなるインナーケースアセンブリー。
【請求項３】
前記スペースを互いに分離して複数設けた、請求項２のインナーケースアセンブリー。
【請求項４】
液体試料を入れたコップに蓋をし、
弾性体からなる円形リングの下面に、リング自体と同芯に円形の溝を設けた漏れ防止具の溝内に、蓋付きコップの蓋の外周をセットし、リングの弾性により蓋の外周とコップの円周上端部とを密着させ、
漏れ防止具をセットした蓋付きコップをキャリアに収容して気送する、気送方法。
【請求項５】
液体試料を入れたコップに蓋をし、
弾性体からなる円形リングの下面に、リング自体と同芯に円形の溝を設けた漏れ防止具の溝内に、蓋付きコップの蓋の外周をセットし、リングの弾性により蓋の外周とコップの円周上端部とを密着させ、
漏れ防止具をセットした蓋付きコップを、気送子のインナーケースの開閉自在なスペースに収容して、該スペースを密閉し、
気送管により前記気送子を搬送する、気送方法。
【発明の詳細な説明】
【技術分野】
【０００１】
この発明は、尿などの液体を漏らさずに気送子で搬送すること、及びそれに用いる漏れ防止具やインナーケースアセンブリーに関する。
【背景技術】
【０００２】
出願人は、尿などの検査試料の入った紙コップを、気送子で液体試料を漏らさず搬送するためのケースを提案した（特許文献１：特開２００１−２９４３２２）。このケースは、コップ状で外周面の上部にネジを刻んだ下ケースと、蓋状で下ケースのネジと噛み合うネジを内周面に刻んだ上ケースとからなり、上ケースの上面は弾性を備えている。下ケース内に、蓋をした紙コップを収容し、上ケースを回して下ケース側へねじ込むと、上ケースの上面で紙コップの蓋を押圧して、蓋が外れるのを防止できる。そして尿などの検査試料を漏らさずに気送子で搬送できると、病院などにおいて便利である。また気送子で液体を搬送する場合、気送子の上下が気送管中で反転するなど、気送子が任意の姿勢をとった際に、液漏れが生じない必要がある。
【０００３】
しかしながら特許文献１のケースでは、上ケースをねじ込む量が少ないと、紙コップの蓋を適切に押圧できず、ねじ込みすぎると紙コップが変形し、やはり液漏れの原因となる。即ちケースからの液漏れは防止できるものの、ケース内での液漏れは防止できない場合がある。また蓋付きコップをインナーケースへ出し入れするのが難しい、蓋付きコップから液漏れが生じると他の蓋付きコップも汚染される、などの問題があった。
【特許文献１】特開２００１−２９４３２２
【発明の開示】
【発明が解決しようとする課題】
【０００４】
この発明の課題は、液体の入った蓋付きコップを、任意の姿勢にしても液漏れが生じないようにすることにある。
またこの発明の他の課題は、液体の入った蓋付きコップを液漏れせずに搬送することにある。
【課題を解決するための手段】
【０００５】
この発明は、弾性体からなる円形リングを備えた漏れ防止具であって、
前記リングの下面にリング自体と同芯に円形の溝を備え、
該溝は、蓋付きコップの蓋の外周を溝内にセットした際に、リングの弾性により、蓋の外周とコップの円周上端部とを密着させるように構成されている。
【０００６】
またこの発明は、気送管により搬送される気送子の内部にセットするためのインナーケースアセンブリーであって、
請求項１の漏れ防止具をセットした蓋付きコップを収容する、開閉自在でかつ密閉可能なスペースを設けたインナーケースと、
該スペースに収容した請求項１の漏れ防止具をセットした蓋付きコップとからなる。
好ましくは、前記スペースを互いに分離して複数設ける。
【０００７】
またこの発明の気送方法では、液体試料を入れたコップに蓋をし、
弾性体からなる円形リングの下面に、リング自体と同芯に円形の溝を設けた漏れ防止具の溝内に、蓋付きコップの蓋の外周をセットし、リングの弾性により蓋の外周とコップの円周上端部とを密着させ、
漏れ防止具をセットした蓋付きコップをキャリアに収容して気送する。
キャリアは、空気圧によって３次元的に移動する台車などでも良いが、好ましくは気送子とし、漏れ防止具をセットした蓋付きコップを、気送子のインナーケースの開閉自在なスペースに収容して、該スペースを密閉し気送管により前記気送子を搬送する。
【発明の効果】
【０００８】
この発明の漏れ防止具では、漏れ防止具の溝で蓋の外周とコップの円形状端部とを密着させ、液漏れを防止する。そのため液体の入ったコップを水平以外の姿勢でも搬送できる。
【０００９】
この発明のインナーケースアセンブリーでは、漏れ防止具で蓋とコップとを密着させたものを、インナーケースのスペースに収容して密閉する。このため気送子でコップを搬送すると、コップからの液漏れが無く、仮に液漏れが生じても、インナーケースのスペースから外にはこぼれ出さない。
更に前記のスペースを複数設けると、複数個のコップを、万一液漏れが生じた場合でも、液体が混じり合わないように気送子で搬送できる。
【００１０】
この発明の気送方法では、液体試料の入ったコップを、液漏れを起こさずに気送できる。特に気送子のインナーケースに、漏れ防止具をセットした蓋付きのコップをセットして搬送する合、気送子が上下反転などの任意の姿勢をしても、液体を漏らさずに搬送できる。
【発明を実施するための最良の形態】
【００１１】
以下に本発明を実施するための最適実施例を示す。
【実施例】
【００１２】
図１〜図９に、実施例とその変形とを示す。図１〜図３は、弾性リング２を用いた実施例を示し、４は搬送対象の蓋付きコップである。弾性リング２は円形状で、リング自体と同芯にその下面に円形の溝６を備え、溝６の外側を外壁８、内側を内壁１０とする。また弾性リング２の内壁１０側から中心に向けて取っ手１２を設け、１４は取っ手１２から上側に突き出す突き出しである。なお取っ手１２や突き出し１４は設けなくても良い。また弾性リング２の材質は合成ゴムなどの弾性体とし、ジェル状の粘弾性体でもよい。２０は紙やプラスチックなどのコップで、尿などの液体試料２２を収容し、２４はプラスチックや紙などの蓋である。図３に示すように、２６はコップ２０の円周上端部であり、コップ２０の上端部で、平面視で円周状をし、コップ２０が折り返されて膨らだ部分である。２８は蓋２４の外周で、蓋２４の周囲の円形のリング状の部分である。３０はコップ２０の上面である。
【００１３】
図１〜図３の実施例では、溝６は例えば上下方向の幅が均一で、溝６の幅は蓋付きコップ４の蓋２４の外周２８の幅よりも僅かに狭い。そして蓋付きコップ４の蓋の外周２８を溝６内に押し込むと、溝６がやや拡開されて外壁８や内壁１０が蓋２４の外周２８を左右から押圧し、円周上端部２６と外周２８とを密着させる。この結果、蓋付きコップ４を例えば上下反転させても、液体試料２２が漏れ出すことを防止できる。図３の白抜き矢印で、弾性リング２からの押圧方向を示す。
【００１４】
なお溝６の内径を外周２８の内径よりも僅かに小さくして、弾性リング２を拡げながら、外周２８をセットするようにしても良い。すると溝６の外壁８側から外周２８を半径方向に押す力が加わり、外周２８と円周上端部２６とを密着させることができる。
【００１５】
弾性リング２を蓋付きコップ４から取り外す場合、取っ手１２をつまんで上側に持ち上げる。この時、取っ手１２の反対側で弾性リング２を蓋２４に押し付けると、弾性リング２を蓋２４から取り外すことができる。また取っ手１２のみを持ち上げると、取っ手１２と蓋２４とを一体に、コップ２０から取り外すことができる。
【００１６】
図４，図５に変形例を示し、図４の漏れ防止具３２では、リングの中央の穴部を上部膜３４で塞いでいる。また図５の漏れ防止具３６では、蓋付きコップを取り付ける前の外力のない状態で、下側（入口側）の幅が狭く、上側（奥側）の幅が広い溝３８を設ける。溝３８に外周２８をセットすると、リングの弾性により溝３８が左右から外周２８を押圧し、外周２８と円周上端部２６とが密着する。図４，図５の変形例は、他の点では図１〜図３の実施例と同様である。
【００１７】
図６〜図８に、弾性リング２を取り付けた蓋付きコップ４を搬送するための、インナーケース４０を示す。４２は気送子で、インナーケース４０を取り付けて搬送する。インナーケース４０には、弾性リング２を取り付けた蓋付きコップ４を搬送するための、複数の互いに分離されたスペース５９があり、４４は各スペース５９の蓋である。蓋４４はヒンジ４６を中心に回動自在で、止め具４８により閉じられ、この状態で内部のスペース５９が密閉される。５０は気送子の蓋、５２は摺動リングである。
【００１８】
図７，図８に示すように、ヒンジ４６は蓋４４側に設けた軸５４と、蓋４４の外側に設けたフック５６とから成り、軸５４はフック５６内で回動する。また止め具４８は蓋４４から下向きに突き出して折り返し、係合部材５８の溝６０内に収容される。そしてヒンジ４６を中心に蓋４４を押し下げると、止め具４８が溝６０内にセットされて、蓋４４内のスペース５９を密閉できる。止め具４８は溝６０内に押し込むとクリック感を与え、操作が容易である。また止め具４８を押し上げると、蓋４４は軸５４を中心に回動して、内部の蓋付きコップを取り出すことができる。ヒンジ４６は、フック５６の下側の開口を利用して分解でき、蓋４４を取り外して洗浄できる。なおヒンジ４６や止め具４８の構造は任意である。
【００１９】
図９に実施例での気送方法を模式的に示す。６２，６３はステーションで、気送管６４に接続され、気送子４２を搬送する。病院や保健所などでは、尿を検査試料として搬送する必要がある。この場合、尿の入った蓋付きコップに弾性リングを取り付け、インナーケースのスペースにセットする。インナーケースには複数のスペースがあり、各スペースが互いに分離してある。そして蓋付きコップは、弾性リングで蓋がコップの円周上端部に密着しているため液漏れを起こさず、万一液漏れを起こしても、インナーケースのスペースの外には広がらないので、衛生的である。さらに複数のスペースは互いに分離されているので、検査試料が混じり合うことは有り得ない。なお弾性リングは繰り返し使用でき、かつ搬送中に液体試料に触れることはほとんど無い。さらにインナーケースのスペースは、蓋を取り外すことにより容易に洗浄できる。
【００２０】
気送子４２では、インナーケースのスペースに、弾性リングで液漏れを防止した蓋付きコップを収容する。気送子４２を出発ステーションから目的ステーションへ搬送し、インナーケースの蓋を開いて、弾性リング付きの蓋付きコップを取り出し、空の気送子を病棟などの出発ステーションへと返送すればよい。
【００２１】
実施例では以下の効果が得られる。
(1)  弾性リング２により、蓋付きコップ４からの液漏れを防止できる。このため気送子４２などのように、搬送中の姿勢が一定しないキャリアで搬送できる。
(2)  弾性リング４２は、取っ手１２で蓋付きコップ４から簡単に取り外すことができる。
(3)  インナーケースのスペースは密閉できるので、蓋付きコップからスペースの外まで液漏れが生じることを確実に防止できる。
(4)  インナーケースのスペースを互いに分離したので、異なるコップの液体が互いに混じり合うことがない。
(5)  尿などの検査試料をコップに収容して、洩らさずに簡単に搬送できる。
【００２２】
実施例では、蓋付きコップ４毎に分離されかつ密閉自在なスペース５９を備えたインナーケース４０を、気送子４２にセットして搬送した。しかしインナーケースのスペースは密閉できないものでも良い。また気送子に変えて、空気圧により水平移動や鉛直移動などを行う台車のインナーケースに、蓋付きコップ４をセットして搬送しても良い。即ち、気送子に言及せずに単に気送という場合、気体の圧力を利用して、気送管やチューブに沿って物品を搬送することを言い、  
【図面の簡単な説明】
【００２３】
【図１】実施例の弾性リングを蓋付きコップにセットした状態を示す平面図
【図２】図１の11−11方向鉛直断面図
【図３】図２の要部拡大断面図
【図４】変形例の漏れ防止具の鉛直方向断面図
【図５】第２の変形例の漏れ防止具の、要部鉛直方向拡大断面図
【図６】実施例のインナーケースをセットした気送子を、扉を開いた状態で示す、部分切欠部付き平面図
【図７】実施例のインナーケースの要部拡大平面図
【図８】図５のV111−V111方向部分鉛直断面図
【図９】実施例での気送子の搬送を模式的に示す図
【符号の説明】
【００２４】
２          弾性リング
４          蓋付きコップ
６          溝
８          外壁
１０        内壁
１２        取っ手
１４        突き出し
２０        コップ
２２        液体試料
２４        蓋
２６        円周上端部
２８        外周
３０        上面
３２，３６  漏れ防止具
３４        上部膜
３８        溝
４０        インナーケース
４２        気送子
４４        蓋
４６        ヒンジ
４８        止め具
５０        気送子の蓋
５２        摺動リング
５４        軸
５６        フック
５８        係合部材
５９        スペース
６０        溝
６２，６３  ステーション
６４        気送管
【図１】
2009023836.tif 000003
【図２】
2009023836.tif 000004
【図３】
2009023836.tif 000005
【図４】
2009023836.tif 000006
【図５】
2009023836.tif 000007
【図６】
2009023836.tif 000008
【図７】
2009023836.tif 000009
【図８】
2009023836.tif 000010
【図９】
2009023836.tif 000011